(57)【要約】【課題】複数の半導体レーザダイオードが配置された基板の温度ばらつきを抑制することにより、当該基板の変形を抑制すること。【解決手段】半導体レーザ装置１００は、半導体レーザダイオード列がサブマウント１１２の表面上に形成されている半導体レーザユニット１１０と、サブマウント１１２を支持する支持部材１２０とを備え、支持部材１２０は、上記半導体レーザダイオード列に沿って延伸する冷却路１２２が形成されている。【選択図】図１
2014154851.tif 000002
【特許請求の範囲】
【請求項１】
半導体レーザダイオード列が基板の表面上に形成されている半導体レーザユニットと、
前記基板を支持する支持部材と
を備え、
前記支持部材は、
前記半導体レーザダイオード列に沿って延伸する冷却路が形成されている
ことを特徴とする半導体レーザ装置。
【請求項２】
前記半導体レーザダイオード列を構成する複数の半導体レーザダイオードの各々から、前記冷却路までの最短距離が互いに等しい
ことを特徴とする請求項１に記載の半導体レーザ装置。
【請求項３】
前記支持部材は、
前記基板に対して表裏対称となるように、前記基板の表面側および前記基板の裏面側の各々に、前記冷却路が形成されている
ことを特徴とする請求項１または２に記載の半導体レーザ装置。
【請求項４】
互いに積層された複数の前記半導体レーザユニットを備え、
前記支持部材は、
前記複数の半導体レーザユニットの各々の端部を支持し、
前記支持部材は、
前記複数の基板の各々に対して、表裏対称となるように、当該基板の表面側の前記冷却路と、当該基板の裏面側の前記冷却路とが、それぞれ形成されている
ことを特徴とする請求項３に記載の半導体レーザ装置。
【請求項５】
前記支持部材は、
上層の基板と下層の基板との間に、前記上層の基板に対する前記裏面側の冷却路として機能するとともに、前記下層の基板に対する前記表面側の冷却路として機能する、共用の前記冷却路が形成されている
ことを特徴とする請求項４に記載の半導体レーザ装置。
【請求項６】
前記基板は、
前記半導体レーザダイオード列よりも前記支持部材側の部分である第１の部分が、当該第１の部分の反対側の部分である第２の部分よりも、高い熱伝導率を有する
ことを特徴とする請求項４または５に記載の半導体レーザ装置。
【請求項７】
前記基板は、
前記第１の部分に、ヒートパイプが設けられている
ことを特徴とする請求項６に記載の半導体レーザ装置。
【請求項８】
前記半導体レーザダイオード列は、出射されるレーザビームの波長が互いに同一である、複数の半導体ダイオードから構成されている
ことを特徴とする請求項４から７のいずれか１項に記載の半導体レーザ装置。
【請求項９】
前記複数の半導体レーザユニットに対応する複数の前記半導体レーザダイオード列は、出射されるレーザビームの波長が互いに異なる
ことを特徴とする請求項８に記載の半導体レーザ装置。
【発明の詳細な説明】
【技術分野】
【０００１】
本発明は、半導体レーザダイオード列が形成された半導体レーザユニットを備える、半導体レーザ装置に関する。
【背景技術】
【０００２】
従来、高出力のレーザビームを得ることを目的として、複数の半導体レーザダイオードが積層（スタック）され、これら複数の半導体レーザダイオードから出力された複数のレーザビームを合波するように構成されたスタック型レーザが知られている（例えば、下記特許文献１参照）。
【０００３】
しかしながら、上記スタック型レーザは、その構造上、複数のレーザビームの間隔を狭めることが困難である。このため、上記スタック型レーザは、複数のレーザビームのエネルギー密度が高めることができず、ファイバレーザの励起光のような、より高輝度な出力ビームを得ることは困難である。
【０００４】
そこで、従来、より高輝度な出力ビームを得るために、板状のサブマウントの表面上に複数の半導体レーザダイオードチップおよび複数のマイクロレンズを配列した、半導体レーザ装置が用いられている。この半導体レーザ装置によれば、複数の半導体レーザダイオードチップから出射された複数のレーザビームを複数のマイクロレンズによってコリメートした後、これら複数のレーザビームを密に整列し、さらに、これら複数のレーザビームを集光レンズによって集束することにより、より高輝度な出力ビームが得られるようになっている。
【０００５】
このような半導体レーザ装置において、効率的に高輝度な出力ビームを得るためには、サブマウント上の各構成部材の位置や向きを精密に調整することにより、複数のレーザビームの各々の出射位置や伝搬方向の精度を高める必要がある。しかしながら、このような半導体レーザ装置は、複数の半導体レーザダイオードによって発せられた熱の影響を受け、サブマウントに歪や反りが生じてしまう虞がある。サブマウントに歪や反りが生じてしまうと、上記各構成部材の位置や向きが変化してしまい、レーザビームの出射位置や伝搬方向の精度が低下してしまう。
【０００６】
そこで、このような問題が生じないように、冷却機能を備えた半導体レーザ装置が考案されている。例えば、下記特許文献２には、複数の半導体レーザユニットが積層されて構成されている半導体レーザ装置が開示されており、当該半導体レーザ装置において、各半導体レーザユニットは、板状かつ液体冷却式のヒートシンクの上面側に、半導体レーザモジュールを備えた構成となっている。
【先行技術文献】
【特許文献】
【０００７】
【特許文献１】特開平６−２８３８０７号公報（公開日：１９９４年１０月７日）
【特許文献２】特開２０１２−８９５８４号公報（公開日：２０１２年５月１日）
【発明の概要】
【発明が解決しようとする課題】
【０００８】
しかしながら、上記特許文献２の半導体レーザ装置は、液体冷却式のヒートシンクを用いていながら、半導体レーザダイオードによって発せられた熱を効果的に冷却することができないため、ヒートシンクの反りを抑制するといった課題を解決することができない。このため、上記特許文献２の半導体レーザ装置は、ヒートシンクの反りが生じないように、各半導体レーザモジュールの裏側にモリブデン補強体をさらに設けることで、全体の剛性を高めている。
【０００９】
特に、上記特許文献２の半導体レーザ装置は、半導体レーザユニットにおける複数の半導体レーザモジュールが配置された面に対して垂直な方向（半導体レーザユニットが積層された方向）に貫通するように、冷却路を延伸させる構成を採用している。このために、半導体レーザモジュールが配置されたヒートシンクにおいては、冷却路からの距離に応じて部位毎に冷却効果が異なるために、ヒートシンクの部位毎に温度のばらつきが生じてしまう。半導体レーザモジュールにおいて、このような温度のばらつきは、当該半導体レーザモジュールが配置されたヒートシンクに歪や変形を生じさせ、半導体レーザモジュールから出射されるレーザ光の出射位置や伝搬方向の精度を低下させることとなる。
【００１０】
本発明は、このような問題に鑑みてなされたものであり、その目的は、複数の半導体レーザダイオードが配置された基板における温度のばらつきを抑制することにより、当該基板の歪や反り等といった変形を抑制することが可能な、半導体レーザ装置を実現することにある。
【課題を解決するための手段】
【００１１】
上述した課題を解決するため、本発明に係る半導体レーザ装置は、半導体レーザダイオード列が基板の表面上に形成されている半導体レーザユニットと、前記基板を支持する支持部材とを備え、前記支持部材は、前記半導体レーザダイオード列に沿って延伸する冷却路が形成されていることを特徴とする。
【００１２】
上記半導体レーザ装置によれば、半導体レーザダイオード列に沿って上記冷却路が形成されているため、複数のレーザダイオードを均一に冷却することができる。よって、上記基板におけるレーザダイオード単位毎の温度分布は、いずれも同様のものとなる。これにより、上記半導体レーザ装置は、上記レーザダイオード単位毎の温度分布のばらつきに起因する、上記基板の歪や反りを抑制することができる。したがって、上記半導体レーザ装置は、上記複数のレーザビームの出射位置や伝搬方向の精度を高めることができ、結果的に、出力ビームを高出力化および高輝度化することができる。特に、半導体レーザダイオード列の近傍の基板端部を支持部材によって保持する構成を採用してもよく、この場合、半導体レーザダイオード列から発せられた熱を、支持部材によって効率的に冷却することができる。
【００１３】
上記半導体レーザ装置において、前記半導体レーザダイオード列を構成する複数の半導体レーザダイオードの各々から、前記冷却路までの最短距離が互いに等しいことが好ましい。
【００１４】
上記構成の半導体レーザ装置によれば、複数のレーザダイオードをより均一に冷却することができ、よって、上記基板の歪や反りをより抑制することができる。
【００１５】
上記半導体レーザ装置において、前記支持部材は、前記基板に対して表裏対称となるように、前記基板の表面側および前記基板の裏面側の各々に、前記冷却路が形成されていることが好ましい。
【００１６】
上記構成の半導体レーザ装置によれば、上記基板を、その表面側および裏面側の双方から均等に冷却することができるため、当該基板の表面側と裏面側との温度差を抑制し、当該基板の反りを防止することができる。これにより、上記構成の半導体レーザ装置は、上記基板の反りに起因する、上記複数のレーザビームの伝搬方向の変化を抑制することができる。したがって、上記半導体レーザ装置は、上記複数のレーザビームの出射位置や伝搬方向の精度を高めることができ、結果的に、出力ビームを高出力化および高輝度化することができる。
【００１７】
上記半導体レーザ装置において、互いに積層された複数の前記半導体レーザユニットを備え、前記支持部材は、前記複数の半導体レーザユニットの各々の端部を支持し、前記支持部材は、前記複数の基板の各々に対して、表裏対称となるように、当該基板の表面側および当該基板の裏面側の各々に、前記冷却路が形成されていることが好ましい。
【００１８】
上記構成の半導体レーザ装置によれば、複数の半導体レーザユニットの各々において、基板の反りを防止することができる。
【００１９】
上記半導体レーザ装置において、前記支持部材は、上層の基板と下層の基板との間に、前記上層の基板に対する前記裏面側の冷却路として機能するとともに、前記下層の基板に対する前記表面側の冷却路として機能する、共用の前記冷却路が形成されていることが好ましい。
【００２０】
上記構成の半導体レーザ装置によれば、１本の冷却路によって上層の基板および下層の基板の双方を冷却することができる。すなわち、上記構成の半導体レーザ装置によれば、支持部材に形成する冷却路の本数を削減することができるため、例えば、支持部材の製造コストを抑制することができる。
【００２１】
上記半導体レーザ装置において、前記基板は、前記半導体レーザダイオード列よりも前記支持部材側の部分である第１の部分が、当該第１の部分の反対側の部分である第２の部分よりも、高い熱伝導率を有することが好ましい。特に、上記半導体レーザ装置において、前記基板は、前記第１の部分に、ヒートパイプが設けられていることが好ましい。
【００２２】
上記構成の半導体レーザ装置によれば、上記基板において、半導体レーザダイオード列によって発せられた熱の殆どが、熱抵抗が低い支持部材側（第１の部分）へ伝わり、支持部材によって積極的に放熱されることとなる。すなわち、上記構成の半導体レーザ装置によれば、半導体レーザダイオード列によって発せられた熱を、効率的に放熱することができる。
【００２３】
上記半導体レーザ装置において、前記半導体ダイオード列は、出射されるレーザビームの波長が互いに同一である、複数の半導体ダイオードから構成されていることが好ましい。
【００２４】
上記構成の半導体レーザ装置によれば、出力ビームをより高出力化およびより高輝度化することができる。
【００２５】
上記半導体レーザ装置において、前記複数の半導体レーザユニットに対応する複数の前記半導体レーザダイオード列は、出射されるレーザビームの波長が互いに異なることが好ましい。
【００２６】
上記構成の半導体レーザ装置によれば、出力ビームをより高出力化およびより高輝度化することができる。
【発明の効果】
【００２７】
本発明によれば、複数の半導体レーザダイオードが配置された基板における温度のばらつきを抑制することができるため、当該基板の歪や反り等といった変形を抑制することが可能な、半導体レーザ装置を実現することができる。
【図面の簡単な説明】
【００２８】
【図１】本実施形態に係る半導体レーザ装置の構成を示す斜視図である。
【図２】本実施形態に係る半導体レーザ装置の構成を示す側面図である。
【図３】図２に示す半導体レーザ装置のＡ−Ａ断面図である。
【図４】本実施形態に係る半導体レーザユニットの構成を示す上面図である。
【図５】本実施形態の変形例に係る半導体レーザ装置の構成を示す側面図である。
【図６】本実施形態に係る半導体レーザ装置における、冷却液の流れの一例を示す。
【図７】本実施形態に係る半導体レーザユニットの構成（図４の変形例）を示す上面図である。
【図８】本実施形態に係る半導体レーザ装置における、複数層のレーザビームを波長合成する構成の一例を示す。
【図９】本実施形態に係る半導体レーザ装置の構成（図２の変形例）を示す側面図である。
【発明を実施するための形態】
【００２９】
以下、添付の図面を参照して、本発明の一実施形態に係る半導体レーザ装置について説明する。
【００３０】
〔半導体レーザ装置１００の構成〕
まず、図１〜図３を参照して、本実施形態に係る半導体レーザ装置１００の構成について説明する。図１は、本実施形態に係る半導体レーザ装置１００の構成を示す斜視図である。図２は、本実施形態に係る半導体レーザ装置１００の構成を示す側面図である。図３は、図２に示す半導体レーザ装置１００のＡ−Ａ断面図である。
【００３１】
半導体レーザ装置１００は、複数の半導体レーザダイオードの各々からレーザビームを出射し、これら複数のレーザビームを合波することによって、高出力かつ高輝度なレーザビームを出力する装置である。図１〜図３に示すように、半導体レーザ装置１００は、垂直方向（ｚ軸方向）に積み重ねられた複数の半導体レーザユニット１１０（半導体レーザユニット１１０−１〜１１０−４）を備えている。
【００３２】
半導体レーザ装置１００は、支持部材１２０をさらに備えている。支持部材１２０は、複数の半導体レーザユニット１１０が等間隔に積層された状態で、当該複数の半導体レーザユニット１１０の各々の後端部（ｘ軸負側の端部であって、半導体レーザダイオード列近傍の端部）を支持する。すなわち、半導体レーザ装置１００は、支持部材１２０によって、複数の半導体レーザユニット１１０を片持ちする構成を採用している。
【００３３】
具体的には、支持部材１２０の正面（ｘ軸正側の面）には、半導体レーザユニット１１０に応じた数（図１〜３では４つ）の切り欠きが形成されている。当該切り欠きは、半導体レーザユニット１１０（サブマウント１１２）の後端部の形状と、略同形状となっている。そして、各切り欠きに対し、対応する半導体レーザユニット１１０（サブマウント１１２）の後端部が差し込まれることにより、支持部材１２０は、複数の半導体レーザユニット１１０が予め定められた姿勢となるように、当該複数の半導体レーザユニット１１０の各々の後端部を、半導体レーザダイオード列に沿って、密着しつつ挟み込むように支持することとなる。
【００３４】
さらに、図示を省略する固定手段（例えば、接着剤、螺子等）によって、各半導体レーザユニット１１０が支持部材１２０に固定されることにより、支持部材１２０による各半導体レーザユニット１１０の支持は、より確実なものとなる。支持部材１２０は、内部に冷却液が流通する冷却路１２２が形成されており、各半導体レーザユニット１１０を冷却するヒートシンクとしても機能する。
【００３５】
〔半導体レーザユニット１１０の構成〕
次に、図４を参照して、半導体レーザユニット１１０の構成について説明する。図４は、本実施形態に係る半導体レーザユニット１１０の構成を示す上面図である。半導体レーザ装置１００が備える４つの半導体レーザユニット１１０（半導体レーザユニット１１０−１〜１１０−４）は、いずれも図４に示す半導体レーザユニット１１０と、同様の構成である。
【００３６】
（半導体レーザダイオード）
半導体レーザユニット１１０は、矩形板状のサブマウント１１２（基板）および半導体レーザダイオード（半導体レーザダイオードチップ）ＬＤ１〜ＬＤ１０を備えている。半導体レーザダイオードＬＤ１〜ＬＤ１０は、各々が独立したチップ上に形成されている。半導体レーザダイオードＬＤ１〜ＬＤ１０は、サブマウント１１２の表面上において、当該サブマウント１１２の後端部に沿って、図中ｙ軸方向に、等間隔且つ直線状に、１列に並んだ状態に配置されている。すなわち、半導体レーザダイオードＬＤ１〜ＬＤ１０は、サブマウント１１２の表面上において、半導体レーザダイオード列をなしている。
【００３７】
半導体レーザダイオードＬＤ１〜ＬＤ１０の各々は、サブマウント１１２の表面上において、活性層がｘｙ平面と平行になるように、且つ、レーザビームの出射面がｘ軸正方向を向くように、配置されている。これにより、半導体レーザダイオードＬＤ１〜ＬＤ１０から出射された複数のレーザビームは、各々が、サブマウント１１２の表面上において、ｘｙ平面に対して平行に、且つ、ｘ軸正方向に向かって、伝搬することとなる。すなわち、上記複数のレーザビームは、サブマウント１１２の表面上において、等間隔且つ並列な、レーザビーム列をなす。
【００３８】
（導光装置）
半導体レーザユニット１１０は、さらに、Ｆ軸コリメートレンズＦＡＣ１〜ＦＡＣ１０、Ｓ軸コリメートレンズＳＡＣ１〜ＳＡＣ１０、およびミラーＭ１〜Ｍ１０を備えている。すなわち、半導体レーザユニット１１０においては、１つの半導体レーザダイオードに対し、レーザビームの伝搬経路上に、順に、Ｆ軸コリメートレンズ、Ｓ軸コリメートレンズ、およびミラーが、それぞれ１つずつ直線状に並べて配置されている。これらの部材は、何れも、直接、又は、不図示のマウントを介してサブマウント１１２の表面上に設置される。そして、これらの部材は、半導体レーザユニット１１０において、導光装置を構成する。この導光装置は、半導体レーザダイオードＬＤ１〜ＬＤ１０から出射されたｘ軸方向（第１の水平方向）に伝搬する複数のレーザビームの間隔をより密にして、ｙ軸方向（第２の水平方向）に伝搬させる機能を有する。
【００３９】
Ｆ軸コリメートレンズＦＡＣｉ（ｉ＝１〜１０の整数）は、半導体レーザダイオードＬＤｉ（ｉ＝１〜１０の整数）から出射されたレーザビームのＦ軸方向の広がりをコリメートするためのものである。Ｓ軸コリメートレンズＳＡＣｉ（ｉ＝１〜１０の整数）は、半導体レーザダイオードＬＤｉから出射されたレーザビームのＳ軸方向の広がりをコリメートするためのものである。Ｆ軸コリメートレンズＦＡＣｉ及びＳ軸コリメートレンズＳＡＣｉを透過したレーザビームは、伝搬方向がｘ軸正方向に収斂されたコリメートビームとなり、ミラーＭｉへ伝搬する。なお、半導体レーザダイオードＬＤｉから出射されるレーザビームのＳ軸方向の広がりが十分に小さい場合、Ｓ軸コリメートレンズＳＡＣｉは省略しても構わない。
【００４０】
ミラーＭｉ（ｉ＝１〜１０の整数）は、レーザビームの伝搬方向をｘ軸正方向から、ｙ軸負方向へ変換するためのものである。ミラーＭｉには、従来から知られている各種ミラーを用いることができるが、必要に応じて、レーザビームの伝搬方向をｘ軸正方向から、ｚ軸正方向へ変換する第１のミラー（いわゆる「跳ね上げミラー」）と、レーザビームの伝搬方向をｚ軸正方向から、ｙ軸負方向へ変換する第２のミラー（いわゆる「折り返しミラー」）とを備えて構成されたものを用いることが好ましい。
【００４１】
ここで、ミラーＭ１〜Ｍ１０のｘ軸方向の位置は、上記複数のレーザビーム（ミラーＭ１〜Ｍ１０によって伝搬方向が変更された後のもの）の出射方向（ｙ軸負方向）から離間するものほど、半導体レーザダイオードに近づく方向（ｘ軸負方向）に、所定量ずつシフトしている。各シフト量は、上記複数のレーザビーム（ミラーＭ１〜Ｍ１０によって伝搬方向が変更される前のもの）の間隔よりも、小さくなっている。これにより、上記複数のレーザビームは、等間隔且つより密に整列した状態で、半導体レーザユニット１１０から出射されるようになっている。
【００４２】
半導体レーザユニット１１０から出射された上記複数のレーザビームは、当該複数のレーザビームの光路上に配置された１または複数の集光レンズによって集束され、出力ビームとして出力される。例えば、図４では、一例として、上記光路上に配置されたＦ軸集光レンズＦＬとＳ軸集光レンズＳＬとによって、複数（１０本）のレーザビームが、光ファイバＯＦの入射端面において集束し、これにより、高出力化および高輝度化されたレーザビーム（出力ビーム）が光ファイバＯＦ内に入射される様子を示している。実際には、４つの半導体レーザユニット１１０から出力された複数（１０本×４＝４０本）のレーザビームが、光ファイバＯＦの入射端面において集束し、光ファイバＯＦ内に入射されることとなる。
【００４３】
ここで、４つの半導体レーザユニット１１０の各々は、同一の半導体レーザユニット１１０内を伝搬する複数のレーザビームの波長が同一であることが好ましい。さらに、上記４つの半導体レーザユニット１１０は、層単位で、出力ビームの波長が互いに異なっていることが好ましい。すなわち、光ファイバＯＦ内に入射されるレーザビームは、波長合成されたものであることが好ましい。これにより、半導体レーザ装置１００は、出力ビームをより高出力化およびより高輝度化することができる。
【００４４】
各半導体レーザユニット１１０は、最適な出力ビームが得られるように、サブマウント上に配置される各構成部材の位置および向きが精密に調整された後、図１に示すように、支持部材１２０に挿し込まれ、他の半導体レーザユニット１１０とともに積層構造をなすこととなる。
【００４５】
〔冷却路１２２の構成〕
図１〜図３の半導体レーザ装置１００において、注目すべきは、複数の半導体レーザユニット１１０を備えていることに応じて、支持部材１２０に対し、複数の冷却路１２２（冷却路１２２−１〜１２２−５）が形成されている点である。特に、複数の冷却路１２２は、その配置に関し、以下の工夫点を有する。
【００４６】
（工夫点１）支持部材１２０には、半導体レーザダイオード列に沿ってｙ軸方向に延伸する冷却路１２２が形成されている。これにより、サブマウント１１２におけるｙ軸方向の温度を均一化することができるので、本実施形態の半導体レーザ装置１００は、半導体レーザダイオード列を構成する複数のレーザダイオードを均一に冷却することができる。これにより、本実施形態の半導体レーザ装置１００は、サブマウント１１２のｙ軸方向の温度のばらつきに起因する、サブマウント１１２の歪や反り等といった変形を抑制することができ、したがって、複数のレーザビームの出射位置や伝搬方向の精度低下を抑制することができる。
【００４７】
特に、冷却路１２２は、半導体レーザダイオード列と平行に延伸している。すなわち、半導体レーザダイオード列を構成する複数の半導体レーザダイオードの各々から、冷却路１２２までの最短距離が互いに等しくなっている。これにより、本実施形態の半導体レーザ装置１００は、複数のレーザダイオードをより均一に冷却することができる。
【００４８】
（工夫点２）支持部材１２０には、半導体レーザダイオード列に沿ってｙ軸方向に延伸する冷却路１２２が、半導体レーザダイオード列毎に形成されている。これにより、本実施形態の半導体レーザ装置１００は、複数のサブマウント１１２の各々について、ｙ軸方向の温度を均一化することができる。したがって、本実施形態の半導体レーザ装置１００は、複数の半導体レーザユニット１１０の各々について、サブマウント１１２の歪や反り等といった変形を抑制することができ、よって、複数のレーザビームの出射位置や伝搬方向の精度低下を抑制することができる。
【００４９】
（工夫点３）支持部材１２０には、複数のサブマウント１１２の各々に対し、上下（表裏）対称となるように、当該サブマウント１１２の表面側の冷却路１２２と、当該サブマウント１１２の裏面側の冷却路１２２とが、それぞれ形成されている。具体的には、半導体レーザユニット１１０−１のサブマウント１１２に対し、冷却路１２２−１，１２２−２が、上下対称に形成されている。また、半導体レーザユニット１１０−２のサブマウント１１２に対し、冷却路１２２−２，１２２−３が、上下対称に形成されている。また、半導体レーザユニット１１０−３のサブマウント１１２に対し、冷却路１２２−３，１２２−４が、上下対称に形成されている。また、半導体レーザユニット１１０−４のサブマウント１１２に対し、冷却路１２２−４，１２２−５が、上下対称に形成されている。
【００５０】
これにより、本実施形態の半導体レーザ装置１００は、複数のサブマウント１１２の各々に対し、その表面側および裏面側の双方から均等に冷却することができるため、当該サブマウント１１２の表面側と裏面側との温度差を抑制し、当該サブマウント１１２の反りを防止することができる。これにより、本実施形態の半導体レーザ装置１００は、各半導体レーザユニット１１０において、サブマウント１１２の反りに起因する、複数のレーザビームの出射位置や伝搬方向の精度低下を抑制することができ、したがって、高出力かつ高輝度なレーザビームを得ることができる。
【００５１】
（工夫点４）支持部材１２０において、各上下一対のサブマウント１１２間には、上層のサブマウント１１２に対する裏面側の冷却路１２２として機能するとともに、下層のサブマウント１１２に対する表面側の冷却路として機能する、共用の冷却路１２２が形成されている。すなわち、本実施形態の半導体レーザ装置１００は、１本の冷却路１２２で、２つのサブマウントを冷却するように構成されている。具体的には、冷却路１２２−２は、半導体レーザユニット１１０−１のサブマウント１１２と、半導体レーザユニット１１０−２のサブマウント１１２とを、ともに冷却する。また、冷却路１２２−３は、半導体レーザユニット１１０−２のサブマウント１１２と、半導体レーザユニット１１０−３のサブマウント１１２とを、ともに冷却する。また、冷却路１２２−４は、半導体レーザユニット１１０−３のサブマウント１１２と、半導体レーザユニット１１０−４のサブマウント１１２とを、ともに冷却する。
【００５２】
これにより、本実施形態の半導体レーザ装置１００は、サブマウント１１２間における冷却路１２２の本数を削減することができ、当該冷却路１２２の形成を容易化することができるため、例えば、支持部材１２０の製造コストを抑制することができる。さらに、共用の冷却路１２２を設けたことにより、サブマウント１１２間における冷却路１２２の容積を拡大することができ、したがって、冷却効果を高めることができる。
【００５３】
（工夫点５）本実施形態の半導体レーザ装置１００は、各サブマウント１１２の後端部を片持ちする構成を採用したために、仮に、いずれかのサブマウント１１２において、半導体レーザダイオードによって発せられた熱による応力が生じた場合であっても、当該応力を当該サブマウント１１２の先端へ逃がすことができる。このため、本実施形態の半導体レーザ装置１００は、サブマウント１１２の歪や反り等の変形がより生じ難くなっている。
【００５４】
〔変形例〕
次に、図５を参照して、半導体レーザ装置１００の変形例について説明する。図５は、本実施形態の変形例に係る半導体レーザ装置１００の構成を示す側面図である。
【００５５】
本変形例（図５）の半導体レーザ装置１００は、複数の半導体レーザユニット１１０の各々のサブマウント１１２に対し、ヒートパイプ１１８（伝熱部材）が設けられている点で、図２の半導体レーザ装置１００と異なる。
【００５６】
具体的には、複数のサブマウント１１２の各々において、半導体レーザダイオード列よりも支持部材１２０側（ｘ軸負側）の部分である第１の部分には、図５に示すように、当該サブマウント１１２よりも高い熱伝導率を有するヒートパイプ１１８が埋め込まれている。これにより、複数のサブマウント１１２の各々において、上記第１の部分は、当該第１の部分の反対側（ｘ軸正側）の部分である第２の部分よりも、高い熱伝導率を有するものとなっている。ヒートパイプ１１８は、金属製（例えば、銅製）且つ筒状の部材の内部に、液体（例えば、代替フロン）が封入されたものであり、高温側においては、上記液体の蒸発に伴って熱を吸収し、低温側においては、上記液体の蒸気が凝集によって熱を放出することにより、伝熱効率を高めるものである。
【００５７】
これにより、複数のサブマウント１１２の各々において、半導体レーザダイオード列によって発せられた熱の殆どが、熱抵抗が低い支持部材１２０側（第１の部分）へ伝わり、支持部材１２０（具体的には、当該第１の部分の上下に設けられた冷却路１２２）によって積極的に放熱されることとなる。すなわち、本変形例の半導体レーザ装置１００は、半導体レーザダイオード列によって発せられた熱を効率的に放熱することができ、したがって、各層において、上記発熱によるサブマウント１１２の歪や反り等の変形を抑制することができる。
【００５８】
また、複数のサブマウント１１２の各々においては、上記熱が、レーザビームが出射される側の部分である第２の部分に伝わり難くなったことにより、当該第２の部分において、上記熱に起因する歪（特に、積層された複数のサブマウント１１２同士の熱干渉に起因する歪）が生じ難くなっている。これにより、本変形例の半導体レーザ装置１００は、半導体レーザダイオードからミラーまでの光路長に依らず、第２の部分に配置されている各部材（Ｓ軸コリメートレンズおよびミラー）の位置ずれを抑制することができ、したがって、複数の半導体レーザユニット１１０から出力される複数のレーザビームの、出射位置や伝搬方向の精度低下を抑制することができる。
【００５９】
なお、本変形例では、伝熱部材の一例として、ヒートパイプ１１８を用いたが、これに限らない。すなわち、伝熱部材には、少なくともサブマウント１１２よりも熱伝導率が高いものであれば、どのようなものを用いてもよい。また、本変形例では、サブマウント１１２に伝熱部材を埋め込むことにより、当該サブマウント１１２の第１の部分の熱伝導率を第２の部分よりも高めているが、これに限らない。すなわち、サブマウント１１２に伝熱部材を埋め込むことなく、当該サブマウント１１２の第１の部分の熱伝導率を第２の部分よりも高めてもよい。例えば、第１の部分の素材を第２の部分の素材と異ならせることにより、当該第１の部分の熱伝導率を第２の部分よりも高めてもよい。
【００６０】
〔冷却液の流れの一例〕
次に、図６を参照して、半導体レーザ装置１００における、冷却液の流れの一例を説明する。図６は、本実施形態に係る半導体レーザ装置１００における、冷却液の流れの一例を示す。
【００６１】
図６に示す例では、半導体レーザ装置１００は、注入パイプ６０２および排出パイプ６０４をさらに備える。注入パイプ６０２は、冷却路１２２に冷却液を送り込むためのものである。排出パイプ６０４は、冷却路１２２から冷却液を排出するためのものである。注入パイプ６０２および排出パイプ６０４としては、例えば、金属製（例えば、銅製、アルミ製）のもの、樹脂製のもの、等が用いられる。冷却液としては、例えば、水、不凍液等が用いられる。
【００６２】
図６に示す例では、注入パイプ６０２は、１本の冷却路から５本の冷却路に分岐している。注入パイプ６０２の５本の冷却路は、それぞれ、対応する冷却路１２２の注入側（図中ｙ軸負側）の端部へ接続されている。注入パイプ６０２の１本の冷却路は、例えば、冷却ポンプ（図示省略）の吐出口に接続されている。
【００６３】
一方、排出パイプ６０４は、５本の冷却路から１本の冷却路に合流している。排出パイプ６０４の５本の冷却路は、それぞれ、対応する冷却路１２２の排出側（図中ｙ軸正側）の端部へ接続されている。排出パイプ６０４の１本の冷却路は、例えば、上記冷却ポンプの流入口に接続されている。
【００６４】
冷却路１２２に対するパイプ（注入パイプ６０２および排出パイプ６０４）の接続方法は、特に限定はせず、従来から知られている様々な接続方法（例えば、冷却路１２２の端部から延伸する筒状のコネクタに対しパイプを挿し込む方法、冷却路１２２の端部とパイプの端部とを密着させた状態で、パイプを支持部材１２０の壁面等に固定する方法）を採用することができる。
【００６５】
図６の半導体レーザ装置１００において、注入パイプ６０２に送り込まれた冷却液は、注入パイプ６０２内で分岐されることにより、各冷却路１２２（冷却路１２２−１〜１２２−５）に送り込まれる。各冷却路１２２に送り込まれた冷却液は、ｘｙ平面に対して平行に、且つ、各半導体レーザダイオード列に沿って、各冷却路１２２内を通過する。そして、各冷却路１２２を通過した冷却液は、排出パイプ６０４内に送り込まれ、排出パイプ６０４内で合流された後、排出パイプ６０４から排出される。排出パイプ６０４から排出された冷却液は、例えば、上記冷却ポンプへ戻され、再び、注入パイプ６０２に送り込まれる。
【００６６】
図６の構成によれば、各冷却路１２２（冷却路１２２−１〜１２２−５）に対し、概ね同じ温度の冷却液が送り込まれるため、複数のサブマウント１１２の各々に対し、その表面側および裏面側の双方から、より均等に冷却することができる。よって、各半導体レーザユニット１１０において、サブマウント１１２の温度ばらつきを抑制することができるため、当該サブマウント１１２の歪や反り等といった変形を抑制することができる。
【００６７】
さらに、図６の構成によれば、複数の半導体レーザユニット１１０（半導体レーザユニット１１０−１〜１１０−４）を同程度に冷却することができるため、各半導体レーザユニット１１０間における温度差（すなわち、ｚ軸方向の温度のばらつき）を抑制することができる。よって、複数の半導体レーザ装置１００間において、レーザビームの精度のばらつきを抑制することができる。
【００６８】
〔複数層のレーザビームを波長合成する構成の一例〕
次に、図７および図８を参照して、半導体レーザ装置１００における、複数層のレーザビームを波長合成する構成の一例を説明する。
【００６９】
図７は、本実施形態に係る半導体レーザユニット１１０の構成（図４の変形例）を示す上面図である。
【００７０】
図７に示すサブマウント１１２の表面上において、ミラーＭ１〜Ｍ１０によって密に整列された複数のレーザビームの光路上となる位置には、波長選択ビームスプリッタ１１６が配置されている。この波長選択ビームスプリッタ１１６は、側方（ｙ軸正方向）から入射されたレーザビームを、その内部において下方（ｚ軸負方向）へ反射する。波長選択ビームスプリッタ１１６は、さらに、上方（ｚ軸正方向）から入射されたレーザビームを、下方へ透過する。これにより、波長選択ビームスプリッタ１１６は、当該層のレーザビームと、上層のレーザビームとを波長合成し、この波長合成されたレーザビームを下方へ出射することが可能となっている。なお、波長選択ビームスプリッタ１１６の側面および上面には、レーザビームの反射を防止するための反射防止膜（図示省略）が装着されている。
【００７１】
図７のサブマウント１１２において、波長選択ビームスプリッタ１１６の下方となる位置（すなわち、波長選択ビームスプリッタ１１６から出射されたレーザビームの伝搬方向の位置）には、空孔１１４が形成されている。これにより、波長選択ビームスプリッタ１１６から下方に出射されたレーザビームは、サブマウント１１２によって遮られることなく、空孔１１４内を通って、サブマウント１１２の裏側へと伝搬可能となっている。
【００７２】
図８は、本実施形態に係る半導体レーザ装置１００における、複数層のレーザビームを波長合成する構成の一例を示す。図８において、レーザビームの伝搬方向を矢印で示す。また、図８の半導体レーザ装置１００において、層単位での複数のレーザビームには、互いに波長が異なるものが用いられている。また、複数の半導体レーザユニット１１０の各々には、図７の半導体レーザユニット１１０と同様に、波長選択ビームスプリッタ１１６および空孔１１４が設けられている。
【００７３】
そして、いずれの半導体レーザユニット１１０も、当該層のレーザビームを、波長選択ビームスプリッタ１１６によって下方へ反射するとともに、当該層よりも上層のレーザビームを、波長選択ビームスプリッタ１１６によって下方へ透過するように構成されている。すなわち、いずれの半導体レーザユニット１１０も、波長選択ビームスプリッタ１１６によって、当該層のレーザビームと、上層のレーザビームとを波長合成し、波長合成されたレーザビームを下方へ出射するように構成されている。
【００７４】
これにより、図８の半導体レーザ装置１００は、互いに波長が異なる複数層のレーザビームを波長合成し、これにより高輝度化されたレーザビームを、最下層の空孔１１４から出射することが可能となっている。
【００７５】
ここで、半導体レーザ装置１００による波長合成の具体例を説明する。例えば、各層のレーザビームの波長を、以下のように設定する。
【００７６】
第１層（半導体レーザユニット１１０−１）：λ１
第２層（半導体レーザユニット１１０−２）：λ２
第３層（半導体レーザユニット１１０−３）：λ３
第４層（半導体レーザユニット１１０−４）：λ４
そして、各層の波長選択ビームスプリッタ１１６を、以下のように構成する。
【００７７】
第１層：側方から入射された波長λ１のレーザビームを下方へ反射する。
【００７８】
第２層：側方から入射された波長λ２のレーザビームを下方へ反射するとともに、上方から入射された波長λ１のレーザビームを下方へ透過する。
【００７９】
第３層：側方から入射された波長λ３のレーザビームを下方へ反射するとともに、上方から入射された波長λ１および波長λ２のレーザビームを下方へ透過する。
【００８０】
第４層：側方から入射された波長λ４のレーザビームを下方へ反射するとともに、上方から入射された波長λ１、波長λ２、および波長λ３のレーザビームを下方へ透過する。
【００８１】
これにより、図８の半導体レーザ装置１００は、波長λ１、波長λ２、波長λ３、および波長λ４のレーザビームを波長合成し、これにより高輝度化されたレーザビームを、最下層の空孔１１４から出射することができる。
【００８２】
なお、本例では、波長選択ビームスプリッタをサブマウント１１２に設ける例を示したが、波長選択ビームスプリッタをサブマウント１１２の外部に設ける構成としてもよい。この場合、サブマウント１１２には、上記空孔を形成する必要はない。
【００８３】
また、波長選択ビームスプリッタの代わりに、ミラーや回折格子等を用いてもよい。波長選択ビームスプリッタ等をサブマウント１１２の外部に設ける場合、波長選択ビームスプリッタ等は、サブマウント１１２と同様に片持ち梁構造を有していてもよい。
【００８４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８５】
（半導体レーザユニットの数について）
本実施形態の半導体レーザ装置１００は、４つの半導体レーザユニット１１０（半導体レーザユニット１１０−１〜１１０−４）を備えているが、これに限らない。すなわち、半導体レーザ装置１００は、３つ以下の半導体レーザユニット１１０を備えてもよく、４つ以上の半導体レーザユニット１１０を備えてもよい。
【００８６】
（半導体レーザダイオードの数について）
本実施形態の半導体レーザ装置１００において、各半導体レーザユニット１１０は、１０個の半導体レーザダイオードを備えているが、これに限らない。すなわち、各半導体レーザユニット１１０は、９つ以下の半導体レーザダイオードを備えてもよく、１１個以上の半導体レーザダイオードを備えてもよい。
【００８７】
（冷却路１２２の配置・形状について）
本実施形態の半導体レーザ装置１００において、支持部材１２０に形成すべき冷却路１２２は、サブマウント１１２に対して上下対称であり、かつ、半導体レーザダイオード列に沿って延伸するものであれば、どのような配置・形状であってもよい。
【００８８】
例えば、本実施形態の半導体レーザ装置１００では、支持部材１２０において、上下一対のサブマウント１１２間に、上層のサブマウント１１２と下層のサブマウント１１２とで共用の１つの冷却路１２２を設けることとしたが、上層のサブマウント１１２用の冷却路１２２と、上層のサブマウント１１２用の冷却路１２２とを、それぞれ設ける構成としてもよい。
【００８９】
また、本実施形態の半導体レーザ装置１００では、サブマウント１１２の表面側および裏面側に対して、それぞれ１つの冷却路１２２を設けることとしたが、それぞれ複数の冷却路１２２を設ける構成としてもよい。
【００９０】
また、本実施形態の半導体レーザ装置１００では、複数の冷却路１２２（冷却路１２２−１〜１２２−５）がそれぞれ独立しているが、少なくとも一部の冷却路１２２において、他の冷却路１２２とつながっており、当該他の冷却路１２２とともに一続きの冷却路を構成するものであってもよい。
【００９１】
また、本実施形態の半導体レーザ装置１００では、半導体レーザダイオード列が直線状を成しているため、冷却路１２２も直線状に延伸する構成としている。ここで、半導体レーザダイオード列は、直線状以外の他の状態（例えば、円弧状、Ｖ字状）を成していてもよい。この場合、冷却路１２２は、半導体レーザダイオード列に沿って延伸することにより、上記他の状態に延伸するものとなり得る。
【００９２】
また、本実施形態の半導体レーザ装置１００において、支持部材１２０は、半導体レーザダイオード列に沿ってサブマウント１２２の端部を支持する構造を有しているが、少なくとも半導体レーザダイオード列に沿って冷却路１２２が延伸する構造であれば、他の構造を有していてもよい。
【００９３】
図９は、本実施形態に係る半導体レーザ装置１００の構成（図２の変形例）を示す側面図である。例えば、図９に示すように、支持部材１２０は、互いに積層された複数の板状部１２０Ａと、当該複数の板状部１２０Ａを片持ち支持する柱状部１２０Ｂとを備え、各板状部１２０Ａの上面に、対応するサブマウント１１２を設置する構成を採用してもよい。この場合も、図９に示すように、半導体レーザダイオード列に沿って延伸するように、支持部材１２０に冷却路１２２（図９に示す例では、冷却路１２２−１〜１２２−４）を形成すれば、サブマウント１１２における温度のばらつきを抑制することができる。なお、図９に示す例では、柱状部１２０Ｂに冷却路１２２が形成されているが、各板状部１２０Ａに冷却路１２２を形成してもよい。
【００９４】
本実施形態では、本発明の「基板」の一例として「サブマウント」を用いたが、これに限らず、本発明の「基板」には、例えば「マウント」と呼称されるもの、「基板」と呼称されるもの等、半導体レーザダイオード列が形成される部材全般が含まれる。
【産業上の利用可能性】
【００９５】
本発明は、半導体レーザダイオード列が形成された半導体レーザユニットを備える、半導体レーザ装置に好適に利用することができる。特に、複数の半導体レーザユニットが積層された半導体レーザ装置に好適に利用することができる。
【符号の説明】
【００９６】
１００  半導体レーザ装置
１１０（１１０−１〜１１０−４）  半導体レーザユニット
１１２  サブマウント（基板）
１１８  ヒートパイプ
１２０  支持部材
１２２（１２２−１〜１２２−５）  冷却路
６０２  注入パイプ
６０４  排出パイプ
ＬＤ１〜ＬＤ１０  半導体レーザダイオード
ＦＡＣ１〜ＦＡＣ１０  Ｆ軸コリメートレンズ
ＳＡＣ１〜ＳＡＣ１０  Ｓ軸コリメートレンズ
Ｍ１〜Ｍ１０  ミラー
【図１】
2014154851.tif 000003
【図２】
2014154851.tif 000004
【図３】
2014154851.tif 000005
【図４】
2014154851.tif 000006
【図５】
2014154851.tif 000007
【図６】
2014154851.tif 000008
【図７】
2014154851.tif 000009
【図８】
2014154851.tif 000010
【図９】
2014154851.tif 000011